(57)【要約】【課題】狭い作業空間や障害物の多い場所であってもボルトを簡単に緩めることができるボルト緩め工具を提供する。【解決手段】狭い作業空間でボルトの緩め作業を行う際に使用するボルト緩め工具１１であって、該ボルト緩め工具１１は、扁平で長尺な本体部１２の基部側に入力用の第１回動部１３を設け、先端側に出力用の第２回動部１４を設け、第１回動部１３と第２回動部１４とは、互いに連動手段１５で連結されて、第１回動部１３を回動すると、第２回動部１４が連動して回動するように構成されており、第１回動部１３の中心部には、回動工具の軸部２４を嵌合するための嵌合部２３が設けられ、第２回動部１４には、ソケット取付部２７が設けられ、該ソケット取付部２７には、ボルトの頭部に嵌合させるソケット２９が着脱可能に取り付けられる。【選択図】図１
2012086300.tif 000002
【特許請求の範囲】
【請求項１】
狭い作業空間でボルトの緩め作業を行う際に使用するボルト緩め工具であって、
該ボルト緩め工具は、
扁平で長尺な本体部の基部側に入力用の第１回動部を設け、先端側に出力用の第２回動部を設け、
前記第１回動部と前記第２回動部とは、互いに連動手段で連結されて、前記第１回動部を回動すると、前記第２回動部が連動して回動するように構成されており、
前記第１回動部の中心部には、回動工具の軸部を嵌合するための嵌合部が設けられ、
前記第２回動部には、ソケット取付部が設けられ、
該ソケット取付部には、ボルトの頭部に嵌合させるソケットが着脱可能に取り付けられること
を特徴とするボルト緩め工具。
【請求項２】
前記本体部は、前記第１回動部の両端部及び前記第２回動部の両端部に沿ってそれぞれ配設される上下２枚の板上部材が互いにネジ止めされた構成であること
を特徴とする請求項１に記載のボルト緩め工具。
【請求項３】
前記板状部材の基部には、矩形状の基部板が配設されており、
該基部板は、上部及び下部の板状部材よりもそれぞれ上方及び下方に延出した延出部を有し、
前記基部板と前記板状部材とが互いにネジ止めされていること
を特徴とする請求項２に記載のボルト緩め工具。
【請求項４】
前記板状部材の長辺に沿って、側板が配設されていること
を特徴とする請求項２に記載のボルト緩め工具。
【請求項５】
前記連動手段は、ベルト又はチェーンであること
を特徴とする請求項１に記載のボルト緩め工具。
【発明の詳細な説明】
【技術分野】
【０００１】
本発明は、ボルト緩め工具に関するものであり、更に詳しくは、例えば耐震補強工事等において使用し、狭い作業空間や障害物の多い場所であってもボルトを簡単に緩めることができるボルト緩め工具に関するものである。
【背景技術】
【０００２】
従来、狭い作業空間でボルトを緩める工具としては、図６に示すような構成のソケットレンチ１が知られている。このソケットレンチ１は、基部側にグリップ２を備える操作ロッド３と、操作ロッド３の先端部にピン４を介して取り付ける連結ロッド５と、連結ロッド５の先端部に軸部６を介して取り付けると共にラチェット機構を備えるソケット取付部７と、ソケット取付部７に着脱可能に取り付けるソケット８とから構成される。ソケット８の下部には、ボルトの頭部に嵌合自在な凹状の嵌合部９が形成されている（特許文献１参照）。
【０００３】
このような構成のソケットレンチ１を使用するときには、ソケット８の嵌合部９にボルトの頭部を嵌めてから、図７（イ）又は（ロ）に示すように、グリップ２を把持して操作ロッド３を矢印Ａ方向に押し込む。この動作によりソケット８は、矢印Ｂ又は矢印Ｃ方向に回動してボルトを回すこととなる。
【０００４】
次に、操作ロッド３を矢印Ａ方向と反対方向に引くと、ソケット取付部７のラチェット機構の作用によって、ソケット８は回動しないで、ソケット取付部７が矢印Ｂ又は矢印Ｃ方向と反対方向に回動する。このように、操作ロッド３の押し引き操作を繰り返すことによって、ボルトの締め付け又は緩めをすることができるのである。
【先行技術文献】
【特許文献】
【０００５】
【特許文献１】実開昭５６−１３７９６９号公報
【発明の概要】
【発明が解決しようとする課題】
【０００６】
この従来例のソケットレンチ１においては、人力で操作ロッド３を繰り返し動かすので作業効率が低く、また、ボルトに対して充分な力を加えることができないという問題点を有している。
【０００７】
また、操作ロッド３と連結ロッド５とを前後方向及び左右方向に動かす必要があるので、作業現場に障害物が存在する場合には、操作に支障が生じたり、作業が困難なことがあるという問題点も有している。
【０００８】
従って、従来例におけるソケットレンチ１においては、作業効率を向上させることと、ボルトに対して充分に力を加えられるようにすることと、作業現場に障害物が存在しても操作に支障をきたさないこととに解決しなければならない課題を有している。
【課題を解決するための手段】
【０００９】
前記従来例の課題を解決するための本発明の要旨は、狭い作業空間でボルトの緩め作業を行う際に使用するボルト緩め工具であって、該ボルト緩め工具は、扁平で長尺な本体部の基部側に入力用の第１回動部を設け、先端側に出力用の第２回動部を設け、前記第１回動部と前記第２回動部とは、互いに連動手段で連結されて、前記第１回動部を回動すると、前記第２回動部が連動して回動するように構成されており、前記第１回動部の中心部には、回動工具の軸部を嵌合するための嵌合部が設けられ、前記第２回動部には、ソケット取付部が設けられ、該ソケット取付部には、ボルトの頭部に嵌合させるソケットが着脱可能に取り付けられることである。
【００１０】
また、前記本体部は、前記第１回動部の両端部及び前記第２回動部の両端部に沿ってそれぞれ配設される上下２枚の板上部材が互いにネジ止めされた構成であること、；
前記板状部材の基部には、矩形状の基部板が配設されており、該基部板は、上部及び下部の板状部材よりもそれぞれ上方及び下方に延出した延出部を有し、前記基部板と前記板状部材とが互いにネジ止めされていること、；
前記板状部材の長辺に沿って、側板が配設されていること、；
前記連動手段は、ベルト又はチェーンであること、；
を含むものである。
【発明の効果】
【００１１】
本発明に係るボルト緩め工具によれば、本体部が扁平で長尺な形状なので、狭い作業空間に本体部を差し込んで、ボルトの緩め作業を簡単に行うことができる。
また、従来例のように、本体部を前後左右方向に動かす必要が無いので、障害物の多い場所でも使用できる。
更に、嵌合部にインパクトレンチのビット等を嵌合させてから、第１回動部を回動させれば、第２回動部が連動して回動すると共に、ソケットを嵌めたボルトの頭部が強制的に回動するので、ボルトの緩め作業を迅速に且つ効率良く行うことができる。
そして、電動工具を用いるので、ボルトに対して充分な力を加えることができるという種々の優れた効果を奏する。
【００１２】
本体部は、第１回動部の両端部及び第２回動部の両端部に沿ってそれぞれ配設される上下２枚の板上部材が互いにネジ止めされた構成であることによって、本体部の扁平で長尺な形状が強固で頑丈に形成できることとなるという優れた効果を奏する。
【００１３】
板状部材の基部には、矩形状の基部板が配設されており、該基部板は、上部及び下部の板状部材よりもそれぞれ上方及び下方に延出した延出部を有し、基部板と板状部材とが互いにネジ止めされていることによって、基部板が取っ手としての役目を果たすので、基部側の把持具合が良好で且つ確実である。
また、基部板と板状部材とが互いにネジ止めされるので、本体部が強固で頑丈に形成されることとなるという種々の優れた効果を奏する。
【００１４】
板状部材の長辺に沿って、側板が配設されていることによって、本体部の側部がほぼ塞がれることとなる。従って、本体部を把持した時に、手や指がベルトに触れないので、安全であるという優れた効果を奏する。
【００１５】
連動手段は、ベルト又はチェーンであることによって、第１回動部を回動すると、第２回動部が連動してスムーズで確実に回動することとなるという優れた効果を奏する。
【図面の簡単な説明】
【００１６】
【図１】本発明に係るボルト緩め工具１１の側面図である。
【図２】本発明に係るボルト緩め工具１１の正面図である。
【図３】本発明に係るボルト緩め工具１１の、一部を破断した状態の側面図である。
【図４】本発明に係るボルト緩め工具１１の、ソケット２９を取り外した状態の底面図である。
【図５】本発明に係るボルト緩め工具１１の、ソケット２９を取り付けた状態の底面図である。
【図６】従来例に係るソケットレンチ１の側面を示す説明図である。
【図７】（イ）（ロ）従来例に係るソケットレンチ１の使用方法を説明する平面図である。
【発明を実施するための形態】
【００１７】
次に、本発明の実施の形態について図面を参照しながら説明する。まず、図１から図５において、符号１１はボルト緩め工具を示し、このボルト緩め工具１１は、扁平で長尺な本体部１２の基部側に入力用の第１回動部１３を設け、先端側に出力用の第２回動部１４を設け、この第１回動部１３と第２回動部１４とが、互いに連動手段（ベルト）１５で連結され、第１回動部１３には嵌合部２３が設けられ、第２回動部１４にはソケット２９が着脱可能なソケット取付部２７を設けた構成である。
【００１８】
本体部１２は、矩形状で長尺な板状部材１６、１６を、第１回動部１３の上端部１３ａ、下端部１３ｂ、及び第２回動部１４の上端部１４ａ、下端部１４ｂに沿ってそれぞれ配設し、この上下２枚の板状部材１６、１６を互いにネジ１７止めした構成である。本体部１２がこのように構成されることによって、扁平で長尺な当該本体部１２の形状が強固で頑丈に形成される。
【００１９】
本体部１２の寸法の一例を示すと、幅が約９０〜１００ｍｍ程度であり、長さが約３００〜４００ｍｍ程度であり、厚みが約４０〜５０ｍｍ程度であることが望ましい。また、板状部材１６の寸法の一例を示すと、幅が約９０〜１００ｍｍ程度であり、長さが約３００〜４００ｍｍ程度であり、厚みが約１０ｍｍ程度であることが望ましい。
【００２０】
板状部材１６、１６には、それぞれ長辺に沿って且つ本体部１２の中央寄りに側板１８が一体に設けられている。この側板１８の存在によって、本体部１６の側部がほぼ塞がれるので、本体部１６を把持した作業時に、手や指がベルトに触れないこととなり安全である。
【００２１】
板状部材１６、１６の基部には、矩形状の基部板１９が配設されている。この基部板１９は、上部及び下部の板状部材１６、１６よりも、それぞれ上方及び下方に延出した延出部１９ａ、１９ｂを有する。また、基部板１９と板状部材１６とが互いにネジ２０止めされている。
この基部板１９は取っ手としての役目を果たすので、基部側の把持具合が良好で確実に把持できることとなる。また、基部板１９と板状部材１６とが互いにネジ２０止めされるので、本体部１６が強固で頑丈に形成される。
【００２２】
第１回動部１３は、円柱状又は円筒状に形成されており、図３に示すように、その上端部１３ａ及び下端部１３ｂの縁部近傍と板状部材１６、１６との隙間に複数の玉２１を有する軸受構造を備えており、第１回動部１３が回動自在に形成される。
【００２３】
第１回動部１３の中央部位には、図３及び図４に示すように、外周面に沿って円盤状のリング部２２が一体に形成されている。このリング部２２の外周面に沿って、連動手段（ベルト）１５が架け渡される。
【００２４】
第１回動部１３の中心部には、図１及び図４に示すように、平面視が正方形状の嵌合部２３が設けられている。嵌合部２３は、下部まで貫通した孔状、又は所要深さの凹状に形成される。この嵌合部２３は、回動工具の軸部２４（例えば、インパクトレンチのビット等）を嵌合するための部位である。
【００２５】
第２回動部１４は、前記第１回動部１３と同様に、円柱状又は円筒状に形成されており、図３に示すように、その上端部１４ａ及び下端部１４ｂの縁部近傍と板状部材１６、１６との隙間に複数の玉２５を有する軸受構造を備えており、第２回動部１４が回動自在に形成される。
【００２６】
第２回動部１４の中央部位には、図３及び図４に示すように、外周面に沿って円盤状のリング部２６が一体に形成されている。このリング部２６の外周面に沿って、連動手段（ベルト）１５が架け渡される。
【００２７】
第２回動部１４の下部には、四角形状のソケット取付部２７が設けらている。ソケット取付部２７の側部には、ビス孔２８が形成されている。このソケット取付部２７は、ソケット２９を着脱自在に取り付ける部位である。
【００２８】
ソケット２９は、上部にソケット取付部２７と嵌合する凹部を有し（図示せず）、下部にボルトの頭部に嵌合させる六角形状の凹部３０が形成されている（図５参照）。また、ソケット２９の側部には、ビス孔３１が形成されており、このビス孔３１は、ソケット取付部２７のビス孔２８と連通するように構成されている。
【００２９】
このような構成のソケット２９は、図示しない上部の凹部をソケット取付部２７に嵌合させて、ビス孔３１とビス孔２８とを連通させてから、ビスを螺着して固定する。なお、ソケット２９は、凹部３０の大きさや形状について様々な種類のものを準備しておき、適宜に選択使用するものである。
【００３０】
連動手段１５は、具体的には、ベルト又はチェーンであり、第１回動部１３と第２回動部１４とに渡って架け渡されて互いに連結されている。第１回動部１３の嵌合部２３に、回動工具の軸部２４を嵌めて、第１回動部１３を回動すると、第２回動部１４が連動してスムーズに回動するように構成されている。
【００３１】
以上のように構成されるボルト緩め工具１１は、まず、ソケット２９の凹部３０をボルトの頭部に嵌めてから、嵌合部２３に回動工具の軸部２４（インパクトレンチのビット等）を嵌合させる。次に、回動工具を駆動させて、第１回動部１３を回動させると、ベルト１５で連動する第２回動部１４が回動する。更に、第２回動部１４のソケット取付部２７に取り付けたソケット２９が回動して、ソケット２９を嵌めたボルトの頭部が強制的に回動する。
【００３２】
このように、ソケット２９を嵌めたボルトの頭部が強制的に回動するので、ボルトの緩め作業を迅速に且つ効率良く行うことができると共に、動力源に電動工具を用いるので、ボルトに対して充分な力を加えることができるのである。なお、電動工具に代えて手動の工具を使用してもよいことは勿論である。
【００３３】
そして、本体部１２が扁平で長尺な形状なので、狭い作業空間に本体部１２を差し込んで、ボルトの緩め作業を簡単に行うことができる。更に、従来例のように本体部１２を前後左右方向に動かす必要が無いので、障害物の多い場所でも使用できる利点がある。
【符号の説明】
【００３４】
１    ソケットレンチ
２    グリップ
３    操作ロッド
４    ピン
５    連結ロッド
６    軸部
７    ソケット取付部
８    ソケット
９    嵌合部
１１  ボルト緩め工具
１２  本体部
１３  第１回動部
１３ａ  上端部
１３ｂ  下端部
１４  第２回動部
１４ａ  上端部
１４ｂ  下端部
１５  連動手段（ベルト）
１６  板状部材
１７  ネジ
１８  側板
１９  基部板
１９ａ、１９ｂ  延出部
２０  ネジ
２１  玉
２２  リング部
２３  嵌合部
２４  回動工具の軸部
２５  玉
２６  リング部
２７  ソケット取付部
２８  ビス孔
２９  ソケット
３０  凹部
３１  ビス孔
【図１】
2012086300.tif 000003
【図２】
2012086300.tif 000004
【図３】
2012086300.tif 000005
【図４】
2012086300.tif 000006
【図５】
2012086300.tif 000007
【図６】
2012086300.tif 000008
【図７】
2012086300.tif 000009
【手続補正書】
【提出日】平成22年11月5日(2010.11.5)
【手続補正１】
【補正対象書類名】明細書
【補正対象項目名】００１０
【補正方法】変更
【補正の内容】
【００１０】
また、前記本体部は、前記第１回動部の両端部及び前記第２回動部の両端部に沿ってそれぞれ配設される上下２枚の板状部材が互いにネジ止めされた構成であること、；
前記板状部材の基部には、矩形状の基部板が配設されており、該基部板は、上部及び下部の板状部材よりもそれぞれ上方及び下方に延出した延出部を有し、前記基部板と前記板状部材とが互いにネジ止めされていること、；
前記板状部材の長辺に沿って、側板が配設されていること、；
前記連動手段は、ベルト又はチェーンであること、；
を含むものである。
【手続補正２】
【補正対象書類名】明細書
【補正対象項目名】００１２
【補正方法】変更
【補正の内容】
【００１２】
本体部は、第１回動部の両端部及び第２回動部の両端部に沿ってそれぞれ配設される上下２枚の板状部材が互いにネジ止めされた構成であることによって、本体部の扁平で長尺な形状が強固で頑丈に形成できることとなるという優れた効果を奏する。
【手続補正３】
【補正対象書類名】特許請求の範囲
【補正対象項目名】請求項２
【補正方法】変更
【補正の内容】
【請求項２】
前記本体部は、前記第１回動部の両端部及び前記第２回動部の両端部に沿ってそれぞれ配設される上下２枚の板状部材が互いにネジ止めされた構成であること
を特徴とする請求項１に記載のボルト緩め工具。